(57)【要約】      （修正有）【課題】ノズル部先端の任意の位置で切断して形成した吐出口にオーバーキャップの内壁を直接に当接させて密封することができるノズルキャップを提供する。【解決手段】高粘度物質が充填される絞り出し容器３０の絞り出し口３１に根元開口が外側から螺合されて取り付けられる接続キャップ部１２を有し、前記根元開口に連通して前記接続キャップ部１２から円錐状に突出し先端が吐出口１３として使用されるノズル部１４とからなるノズルキャップ本体１０と、基部２１の開口を該ノズルキャップ本体１０の前記吐出口１３の外部に被せて前記吐出口を密封するオーバーキャップ２０と、を備え、前記ノズルキャップ本体１０は、前記ノズル部１４の長さ方向途中の外周面１６に雄ネジ１６ａが形成され、前記オーバーキャップ２０は、基部２１の開口の内壁に前記雄ネジ１６ａに螺合する雌ネジ２３ａを設けた。【選択図】図４
0003161670.tif 000002
【実用新案登録請求の範囲】
【請求項１】
高粘度物質が充填される絞り出し容器の絞り出し口に根元開口が外側から螺合されて取り付けられる接続キャップ部を有し、前記根元開口に連通して前記接続キャップ部から円錐状に突出し先端が吐出口として使用されるノズル部とからなるノズルキャップ本体と、
基部の開口を該ノズルキャップ本体の前記吐出口の外部に被せて前記吐出口を密封するオーバーキャップと、を備え、
前記ノズルキャップ本体は、前記ノズル部の長さ方向途中の外周面に雄ネジが形成され、前記オーバーキャップは、基部の開口の内壁に前記雄ネジに螺合する雌ネジが形成されていることを特徴とするノズルキャップ。
【考案の詳細な説明】
【技術分野】
【０００１】
本考案は、接着剤、樹脂充填剤等が充填される絞り出し容器の絞り出し口に取り付けられるノズルキャップに関するものである。
【背景技術】
【０００２】
樹脂充填剤、例えば、コーキング剤は、ドアや窓枠の枠周りを埋めたり、タイル間の継ぎ目等の狭い空間に塗布される。そのため、内部に高粘度物質が充填される絞り出し用のチューブ容器は、広口開口部に先細りノズルが一体形成されたノズル付キャップを絞り出し口に取り付けて使用されている。
【０００３】
この種のノズル付キャップとして、例えば、特開２００５−１５３８８２号公報の発明は、内部に高粘度物質が充填される絞り出し用のチューブ容器の広口開口部に外側からネジ蓋状に取り付けられ、高粘度物質を吐出するための先細りノズルが一体形成され、前記先細りノズルが、キャップ上面の中央部から突出状態に形成されていると同時に、前記チューブ容器へのキャップ螺合取付状態にて容器内空間に連通する根元開口をキャップ内天井部の中央部に有する高粘度物質絞り出し容器用キャップにおいて、絞り出し時のキャップ外れを防止するための補強突部を備え、該補強突部は、キャップ内天井部に前記ノズル根元開口の周囲にキャップ下端に向かって一体的に突設され、前記広口開口部へのキャップ螺合状態において前記広口開口部の内周面に重なるものであって、このキャップは、高粘度物質絞り出し容器の広口開口部の撓み変形を防止して良好な取り付け状態を確保、維持できるものである。
【先行技術文献】
【特許文献】
【０００４】
【特許文献１】特開２００５−１５３８８２号公報
【考案の概要】
【考案が解決しようとする課題】
【０００５】
前記特許文献１に記載の高粘度物質絞り出し容器用キャップにおいて、ノズル部は、実質的な製品状態で先端が閉塞状態のままであり、購入者が使用時に、対象部位のコーキング幅に応じた位置で先端を切断して吐出口を形成する。
【０００６】
この吐出口は、オーバーキャップをノズル部の先端を覆うように取付けて密閉される。例えば、ノズル部の基部または基部近傍に水平な突条を周方向に一体に形成し、オーバーキャップの内側にも水平な突条を一体に形成しておく。そして、ノズル部の基部または基部近傍の水平な突条にオーバーキャップの内側の水平な突条を弾性的に係合させることによって、オーバーキャップをノズル部の所定の位置に取付けるようにしている。
【０００７】
特許文献１に記載の高粘度物質絞り出し容器用キャップは、購入者が使用時に、任意の位置で先端を切断して吐出口を形成するので、オーバーキャップをノズル部の所定の位置に取付ける場合、吐出口の位置によっては、吐出口を直接にオーバーキャップの内壁に当接させるような密封ができないことがあるので、高粘度物質絞り出し容器の密閉は、オーバーキャップとノズル部との係合部の密閉性に依存している。
【０００８】
しかしながら、高粘度物質絞り出し容器において、ノズル部とオーバーキャップとの係合部の密閉性を高めると、強固に締めると着脱が容易でなく、また、緩く締めると密閉性が悪くなって容器内の充填物質が固化してしまうという問題がある。
【０００９】
また、オーバーキャップと吐出口との間に透き間があると絞り出し容器を逆さにすると高粘度物質が吐出口から透き間に漏れ出してオーバーキャップ内で固化してしまうという問題もあり改善が望まれていた。
【００１０】
本考案は上記課題を解決するもので、接着剤、樹脂充填剤等が充填される絞り出し容器に用いられるノズルキャップにおいて、ノズル部先端の任意の位置で切断して形成した吐出口にオーバーキャップの内壁を直接に当接させて密封することができるノズルキャップを提供するものである。
【課題を解決するための手段】
【００１１】
前記課題を解決するために請求項１記載の考案は、高粘度物質が充填される絞り出し容器の絞り出し口に根元開口が外側から螺合されて取り付けられる接続キャップ部を有し、前記根元開口に連通して前記接続キャップ部から円錐状に突出し先端が吐出口として使用されるノズル部とからなるノズルキャップ本体と、基部の開口を該ノズルキャップ本体の前記吐出口の外部に被せて前記吐出口を密封するオーバーキャップと、を備え、前記ノズルキャップ本体は、前記ノズル部の長さ方向途中の外周面に雄ネジが形成され、前記オーバーキャップは、基部の開口の内壁に前記雄ネジに螺合する雌ネジが形成されていることを特徴とするノズルキャップである。
【考案の効果】
【００１２】
本考案によると、接着剤、樹脂充填剤等が充填される絞り出し容器に用いられるノズルキャップにおいて、ノズル部先端の任意の位置で切断して吐出口を形成しても、オーバーキャップをノズルキャップ本体に装着すれば、吐出口にオーバーキャップの内壁を直接に当接させて密封することができる。
【図面の簡単な説明】
【００１３】
【図１】本考案の一実施例によるノズルキャップの斜視図である。
【図２】図１の分解斜視図である。
【図３】（ａ）は、図１のオーバーキャップの底面図、（ｂ）は、図１のノズルキャップ本体の底面図である。
【図４】本考案のノズルキャップの使用状態を示す概略断面図である。
【図５】本考案のノズルキャップの使用状態の斜視図である。
【考案を実施するための形態】
【００１４】
以下、図面に基づいて本考案の実施の形態を説明する。
【実施例１】
【００１５】
図１は、本考案の一実施例によるノズルキャップの斜視図、図２は、図１の分解斜視図、図３（ａ）は、図１のオーバーキャップの底面図、図３（ｂ）は、図１のノズルキャップ本体の底面図、図４は、本考案のノズルキャップの使用状態を示す概略断面図、図５は、本考案のノズルキャップの使用状態の斜視図である。
【００１６】
図１〜図５において、ノズルキャップ１は、ノズルキャップ本体１０とオーバーキャップ２０とから構成されている。ノズルキャップ本体１０は、根元開口１１を有する接続キャップ部１２と、根元開口１１に連通して接続キャップ部１２から円錐状に突出し、先端が吐出口１３として使用されるノズル部１４とからなっている。接続キャップ部１２は、根元開口１１の内壁１５に雌ネジ１５ａが形成され、外部側壁には、長さ方向に沿う滑り止め用の凸条１２ａが所定角度間隔で複数設けられている。
【００１７】
絞り出し容器３０は、絞り出し口３１の外側に雄ネジ３１ａが形成されており、内部に接着剤、樹脂充填剤等の高粘度物質の充填されている。ノズルキャップ本体１０は、接続キャップ部１２が根元開口１１の内壁１５に設けられた雌ネジ１５ａを絞り出し口３１の外側の雄ネジ３１ａに螺合して、絞り出し容器３０の絞り出し口３１に取り付けられる。
【００１８】
ノズルキャップ本体１０において、ノズル部１４は、先細りの円錐状であり、先端が閉塞され、先端近傍の外周に水平な溝条１４ａ，１４ａ・・が長さ方向に離間して一体に形成されている。そして、ノズル部１４は、長さ方向途中（例えば、中央付近）の外周面１６に雄ネジ１６ａが形成されている。ノズルキャップ１の購入者は、ノズルキャップ本体１０を絞り出し容器３０の絞り出し口３１に取り付ける際に、対象部位のコーキング幅に応じた位置で任意の溝条１４ａに沿ってノズル部１４の先端を切断して吐出口１３を形成することができる。
【００１９】
オーバーキャップ２０は、基部２１の下端が開口した先細りの円錐状であり、基部２１の開口２２の内壁２３に、ノズル部１４の外周面１６の雄ネジ１６ａに螺合する雌ネジ２３ａが形成され、外部側壁には、長さ方向に沿う滑り止め用の凸条２１ａが所定角度間隔に複数設けられている。
【００２０】
オーバーキャップ２０は、基部２１の開口２２をノズルキャップ本体１０の吐出口１３に被せて開口２２の内壁２３に設けた雌ネジ２３ａを、ノズル部１４の外周面１６の雄ネジ１６ａに螺合する。このとき、ノズルキャップ１は、ノズルキャップ本体１０に対してオーバーキャップ２０を捻り込むことで、吐出口１３にオーバーキャップ２０の内壁２３を当接させて密封することができる。
【符号の説明】
【００２１】
１  ノズルキャップ
１０  ノズルキャップ本体
１１  根元開口
１２  接続キャップ部
１２ａ，２１ａ  滑り止め用の凸条
１３  吐出口
１４  ノズル部
１４ａ  溝条
１５  内壁
１５ａ，２３ａ  雌ネジ
１６  外周面
１６ａ，３１ａ  雄ネジ
２０  オーバーキャップ
２１  基部
２２  開口
２３  内壁
３０  絞り出し容器
３１  絞り出し口
【図１】
0003161670.tif 000003
【図２】
0003161670.tif 000004
【図３】
0003161670.tif 000005
【図４】
0003161670.tif 000006
【図５】
0003161670.tif 000007